(57)【要約】【課題】フィールドシーケンシャル方式によってカラー表示を行う場合に、簡易な構成によって色割れを防止する。【解決手段】１フレームの期間をＲ、Ｇ、Ｂの原色に対応したＲ、Ｇ、Ｂフィールドに分ける。Ｒフィールドの走査期間の一部（または全部）にわたってＲ色の光と、当該走査期間の１つ前の走査期間に供給される色成分のＢ色の光とを合成したＭ（マゼンタ）色の光を画素に照射し、Ｒフィールドの帰線期間では、Ｒ光だけを画素に照射する。Ｇ、Ｂフィールドについても、走査期間の一部（または全部）にわたって、当該走査期間に供給される色成分の光と、当該走査期間の１つ前の走査期間に供給される色成分の光とを合成した色の光を画素に照射し、帰線期間では、当該帰線期間のフィールドの色成分の光だけを画素に照射する。【選択図】図４
2009020384.tif 000002
【特許請求の範囲】
【請求項１】
複数行の走査線と複数列のデータ線との交差に対応して設けられた複数の画素であって、各々は、対応する走査線が選択されたときに、対応するデータ線に供給されたデータ信号を保持し、入射光に対する出射光の比率が当該保持したデータ信号に応じて変化する画素と、
１フレームの期間を、互いに異なる３つの原色に対応した第１、第２および第３フィールドに分け、さらに前記第１、第２および第３フィールドの各々を、走査期間と帰線期間とに分けて、一のフィールドの各走査期間において前記複数の走査線を所定の順番に選択するとともに、選択した走査線に位置する画素に対して、当該一のフィールドの色成分に応じたデータ信号を前記データ線に供給する駆動回路と、
当該一のフィールドの走査期間の一部または全部にわたって、当該走査期間に対応した色成分と、当該走査期間の１つ前の走査期間に対応した色成分とを合成した色の光を前記複数の画素に入射させ、当該一のフィールドの帰線期間では、当該帰線期間前の走査期間に対応する色成分の光を前記複数の画素に入射させる光照射手段と、
を有することを特徴とする電気光学装置。
【請求項２】
前記光照射手段は、前記３つの原色に応じた光をそれぞれ発する３つのＬＥＤを含む
ことを特徴とする請求項１に記載の電気光学装置。
【請求項３】
前記光照射手段は、
一のフィールドの走査期間の途中または開始端にて、当該走査期間に供給される色成分に応じたＬＥＤを発光状態とし、
一のフィールドの走査期間の途中または終了端にて、当該走査期間の１つ前の走査期間に供給される色成分に応じたＬＥＤを消灯状態とする
ことを特徴とする請求項２に記載の電気光学装置。
【請求項４】
前記光照射手段は、
前記ＬＥＤを発光状態とするとき、発する光を徐々に明るくし、
前記ＬＥＤを消灯状態とするとき、発する光を徐々に暗くさせる
ことを特徴とする請求項３に記載の電気光学装置。
【請求項５】
複数行の走査線と複数列のデータ線との交差に対応して設けられた複数の画素であって、各々は、対応する走査線が選択されたときに、対応するデータ線に供給されたデータ信号を保持し、入射光に対する出射光の比率が当該保持したデータ信号に応じて変化する画素と、
１フレームの期間を、互いに異なる３つの原色に対応した第１、第２および第３フィールドに分け、さらに前記第１、第２および第３フィールドの各々を、走査期間と帰線期間とに分けて、一のフィールドの各走査期間において前記複数の走査線を所定の順番に選択するとともに、選択した走査線に位置する画素に対して、当該一のフィールドの色成分に応じたデータ信号を前記データ線に供給する駆動回路と、
を有する電気光学装置の制御方法であって、
当該一のフィールドの走査期間の一部または全部にわたって、当該走査期間に対応した色成分と、当該走査期間の１つ前の走査期間に対応した色成分とを合成した色の光を前記複数の画素に入射させ、当該一のフィールドの帰線期間では、当該帰線期間前の走査期間に対応する色成分の光を前記複数の画素に入射させる
ことを特徴とする電気光学装置の制御方法。
【請求項６】
請求項１乃至４のいずれかに記載の電気光学装置を有することを特徴とする電子機器。
【発明の詳細な説明】
【技術分野】
【０００１】
本発明は、いわゆる色順次（フィールドシーケンシャル）方式においてカラー表示の明るさ等を改善する技術に関する。
【背景技術】
【０００２】
一般に、色順次方式は、例えばＲ（赤）、Ｇ（緑）、Ｂ（青）の原色画像を各フィールドのそれぞれにおいて時間的に繰り返して表示させることによって、これらの原色画像を知覚的に合成させて、カラー表示を行う、というものである。ところが、色順次方式において画像、特に動画像を表示する場合、Ｒ、Ｇ、Ｂの原色画像における表示タイミングのずれのために、いわゆる色割れ（カラーブレークアップ）が発生する。そこで、ＲＧＢ成分を４色以上に分解して、４色以上の画像を順番に表示させる技術が提案されている（特許文献１参照）。
【特許文献１】特開２００５−２３３９８２号公報（図２参照）
【発明の開示】
【発明が解決しようとする課題】
【０００３】
しかしながら、上記技術において４色以上の画像を順番に形成するためには、表示パネルの駆動速度を高速化する必要があるだけでなく、ＲＧＢ成分を４色以上に分解するなどの処理回路が別途必要となり、構成の複雑化を招く、という問題が指摘されている。
本発明は上述した事情に鑑みてなされたもので、その目的の一つは、簡易な構成によって色割れを防止することが可能な電気光学装置、その駆動方法および電子機器を提供することにある。
【課題を解決するための手段】
【０００４】
上記課題を解決するために、本発明に係る電気光学装置は、複数行の走査線と複数列のデータ線との交差に対応して設けられた複数の画素であって、各々は、対応する走査線が選択されたときに、対応するデータ線に供給されたデータ信号を保持し、入射光に対する出射光の比率が当該保持したデータ信号に応じて変化する画素と、１フレームの期間を、互いに異なる３つの原色に対応した第１、第２および第３フィールドに分け、さらに前記第１、第２および第３フィールドの各々を、走査期間と帰線期間とに分けて、一のフィールドの各走査期間において前記複数の走査線を所定の順番に選択するとともに、選択した走査線に位置する画素に対して、当該一のフィールドの色成分に応じたデータ信号を前記データ線に供給する駆動回路と、当該一のフィールドの走査期間の一部または全部にわたって、当該走査期間に対応した色成分と、当該走査期間の１つ前の走査期間に対応した色成分とを合成した色の光を前記複数の画素に入射させ、当該一のフィールドの帰線期間では、当該帰線期間前の走査期間に対応する色成分の光を前記複数の画素に入射させる光照射手段と、を有することを特徴とする。本発明によれば、走査期間において複数の画素が異なる２色成分のデータ信号を保持する状態が併存する一方で、この２色成分の合成した色の光が画素に入射する。このため、画素からの出射光を明るくすることができ、さらに、出射光の時間的なずれが少なくなるので、色割れを低減することもできる。なお、１フレームの期間とは、１枚のカラー画像表示に要する期間であり、１秒間に６０枚のカラー画像を表示する場合であれば約１６．７ミリ秒である。
【０００５】
本発明において、前記光照射手段は、いわゆるカラーホィールによって所定の色の光を照射する構成としても良いが、３つの原色に応じた光をそれぞれ発する３つのＬＥＤを含む構成としても良い。
この構成において、前記光照射手段は、一のフィールドの走査期間の途中または開始端
にて、当該走査期間に供給される色成分に応じたＬＥＤを発光状態とし、一のフィールドの走査期間の途中または終了端にて、当該走査期間の１つ前の走査期間に供給される色成分に応じたＬＥＤを消灯状態とするのが好ましい。このように光照射手段をＬＥＤで構成すると、構成の簡易化を図ることができる。さらに、前記光照射手段は、前記ＬＥＤを発光状態とするとき、発する光を徐々に明るくし、前記ＬＥＤを消灯状態とするとき、発する光を徐々に暗くさせても良い。このように、徐々に光量を増減させると、色の切り替わりが滑らかに変化するので、表示に与える影響を少なくすることができる。
なお、本発明は、電気光学装置だけでなく、電気光学装置の制御方法としても、また、当該電気光学装置を有する電子機器としても概念することが可能である。
【発明を実施するための最良の形態】
【０００６】
以下、本発明の実施形態について図面を参照して説明する。図１は、本実施形態に係る電気光学装置１０の構成を示すブロック図である。
図に示されるように、この電気光学装置１０は、制御回路１２、メモリ１３、Ｙドライバ１４、Ｘドライバ１６、光源１８および表示パネル１００を有する。このうち、表示パネル１００では、３６０行の走査線１１２が横方向（Ｘ方向）に延設される一方、４８０列のデータ線１１４が縦方向（Ｙ方向）に延設されている。そして、画素１１０が、これらの走査線１１２とデータ線１１４との各交差に対応して配列している。したがって、本実施形態において画素１１０は、縦３６０行×横４８０列のマトリクス状に配列する。
【０００７】
制御回路１２は、電気光学装置１０の各部の動作を制御するものである。詳細には、制御回路１２は、上位装置（図示省略）から供給される表示データＤataを、一旦メモリ１
３に転送して記憶させた後、表示パネル１００の垂直走査および水平走査に同期して表示データＤataをメモリ１３から読み出し、Ｘドライバ１６に供給する。この垂直走査およ
び水平走査のために、制御回路１２は、Ｙドライバ１４およびＸドライバ１６に必要なクロック信号等を供給する。
ここで、表示データＤataは、上位装置から供給されて、各画素の明るさ（階調値）を
ＲＧＢの原色毎に指定するデータである。本実施形態においては、後述するように、１フレームの期間（１垂直走査期間）がＲＧＢの色毎に連続した３フィールドに分割されているので、上位装置から供給された表示データＤataをメモリ１３に記憶させた後に、各フ
ィールドにおいて、対応する色成分の表示データを読み出して、Ｘドライバ１６に供給する構成となっている。また、制御回路１２は、後述する光源１８による各色の発光・消灯についても制御する。
【０００８】
Ｙドライバ１４は、詳細な動作について後述するが、１〜３６０行の各走査線１１２に走査信号を供給するものである。ここで、１、２、３、…、３６０行目の走査線１１２に供給される走査信号を、図においてそれぞれＹ1、Ｙ2、Ｙ3、…、Ｙ360と表記している。
Ｘドライバ１６は、選択された走査線１１２に位置する画素１行分の表示データを、液晶を駆動するのに適した電圧のデータ信号に変換し、それぞれデータ線１１４を介して、画素１１０に供給するものである。ここで、１、２、３、…、４８０列目のデータ線１１４に供給されるデータ信号を、図においてそれぞれＸ1、Ｘ2、Ｘ3、…、Ｘ480と表記している。このため、Ｙドライバ１４およびＸドライバ１６を併せたたものが駆動回路として概念される。
【０００９】
表示領域パネル１００は、図３に示されるように、対向基板１０１と素子基板１０２とが互いに一定の間隙を保って貼付されて、この間隙に液晶を挟持した構成となっている。なお、対向基板１０１には、その対向面に共通電極等が形成され、また、素子基板１０２には、その対向面に、画素電極等が形成されている。
【００１０】
光源１８は、赤色ＬＥＤ１８Ｒ、緑色ＬＥＤ１８Ｇ、青色ＬＥＤ１８Ｂを含む。
バックライトユニット１０５は、光源１８から出射される光を、素子基板１０２の側から均等となるように照射する。このため、光源１８およびバックライトユニット１０５を併せたたものが光照射手段として概念される。
なお、光源１８における各ＬＥＤの発光については、制御回路１２によって制御される。詳細には、赤色ＬＥＤ１８Ｒは、制御信号ＬＥＤ−ＲがＨレベルとなったときオンして発光状態となり、制御信号ＬＥＤ−ＲがＬレベルとなったときオフして消灯状態となる。同様に、緑色ＬＥＤ１８Ｇ、青色ＬＥＤ１８Ｂは、それぞれ制御信号ＬＥＤ−Ｇ、ＬＥＤ−ＢがＨレベルとなったときオンして発光状態となり、Ｌレベルとなったときオフして消灯状態となる。
【００１１】
次に、画素１１０の構成について図２を参照して説明する。
この図に示されるように、画素１１０においては、ｎチャネル型のＴＦＴ（薄膜トランジスタ）１１６のソース電極がデータ線１１４に接続されるとともに、ドレイン電極が画素電極１１８に接続される一方、ゲート電極が走査線１１２に接続されている。
また、画素電極１１８に対向するように共通電極１０８が全画素に対して共通に設けられるとともに、本実施形態では時間的に一定の電圧ＬＣcomが印加される。そして、これ
らの画素電極１１８と共通電極１０８との間に液晶層１０５が挟持されている。このため、画素毎に、画素電極１１８、共通電極１０８および液晶層１０５からなる液晶容量が構成される。
【００１２】
特に図示はしないが、両基板の各対向面には、液晶分子の長軸方向が両基板間で例えば約９０度連続的に捻れるようにラビング処理された配向膜がそれぞれ設けられる一方、両基板の各背面側には配向方向に透過軸を合わせた偏光子がそれぞれ設けられる。
したがって、画素電極１１８と共通電極１０８との間を通過する光は、液晶容量に保持される電圧の実効値がゼロであれば、液晶分子の捻れに沿って約９０度旋光するので、光の透過率が最大となる一方、当該電圧実効値が大きくなるにつれて、液晶分子が電界方向に傾く結果、その旋光性が消失するので、透過する光量が減少し、ついには透過率が最小となる（ノーマリーホワイトモード）。
このため、バックライトユニット１０５によって素子基板１０２の側から光を照射した場合、当該照射光は、画素毎に、液晶容量に保持された電圧の実効値に応じた比率で出射する。
なお、ＴＦＴ１１６を介した液晶容量からの電荷リークの影響を少なくするために、蓄積容量１０９が画素毎に形成されている。この蓄積容量１０９の一端は、画素電極１１８（ＴＦＴ１１６のドレイン）に接続される一方、その他端は、全画素にわたって、例えば電源の低位側電位Ｖｓｓに共通接地されている。
【００１３】
次に、本実施形態に係る電気光学装置１０の動作について説明する。図４は、電気光学装置１０の動作を示すタイミングチャートである。
この図に示されるように、本実施形態では、１フレームの期間が、ＲＧＢの各々に対応したＲフィールド、Ｇフィールド、Ｂフィールドの３つに分割され、各フィールドにおいて、制御回路１２は、図１において上から数えて１、２、３、…、３６０行目の走査線１１２に対して一水平走査期間（Ｈ）毎に順番に選択するようにＹドライバ１４を制御する。これにより、図４に示されるように、各フィールドの走査期間では、走査信号Ｙ1、Ｙ2、Ｙ3、…、Ｙ360が順番にＨレベルとなる。
【００１４】
制御回路１２は、各フィールドの走査期間において、それぞれ走査信号Ｙ1〜Ｙ360が出力されるようにＹドライバ１４を制御する一方で、Ｘドライバ１６を、次のように制御する。すなわち、制御回路１２は、Ｒフィールドの走査期間において走査信号Ｙ1〜Ｙ360が順番にＨレベルとなる場合に、ある行の走査線に着目したとき、当該着目行への走査信号がＨレベルとなる前に、当該着目行の走査線に位置する画素１行分の表示データＤataで
あって、Ｒ成分の表示データをメモリ１３から事前に読み出して、Ｘドライバ１６に転送し、Ｘドライバ１６に対して、転送されたＲ成分の表示データＤataをデータ信号に変換
して、当該着目行への走査信号がＨレベルになったときに、１〜３２０列のデータ線に一斉に出力するように制御する。
これにより、Ｘドライバ１６は、当該着目行に位置する画素行のデータ信号Ｘ1、Ｘ2、Ｘ3、…、Ｘ480を、すなわち、Ｒ成分の階調に応じた電圧のデータ信号を、列に対応するデータ線１１４にそれぞれ出力する。
【００１５】
当該着目行への走査信号がＨレベルとなった場合、当該着目行の走査線１１２に位置する画素１１０のＴＦＴ１１６がオンするので、ある１列のデータ線１１４に着目したとき、当該着目列のデータ信号の電圧が、選択走査線１１２と着目列のデータ線１１４との交差に対応した画素の画素電極１１８に書き込まれる。なお、当該着目行への走査信号がＬレベルになっても、当該着目行の走査線１１２に位置する画素１１０のＴＦＴ１１６がオフするが、画素電極に書き込まれた電圧は、液晶容量の容量性によって保持される。
このような１行ずつの書込動作は、Ｒフィールドの走査期間にわたって１、２、３、…、３６０行目の順番で実行されるので、走査期間後の帰線期間では、全ての液晶容量のそれぞれにおいてＲ成分に応じた電圧が保持されていることになる。
続くＧフィールドおよびＢフィールドの走査期間においても同様に書込動作が実行される。これにより、Ｇフィールドの走査期間後の帰線期間では、全ての液晶容量のそれぞれにおいてＧ成分に応じた電圧が保持され、Ｂフィールドの走査期間後の帰線期間では、全ての液晶容量のそれぞれにおいてＢ成分に応じた電圧が保持されていることになる。
【００１６】
このような表示パネル１００に対する書込動作に対して、制御回路１２は、次のように制御信号ＬＥＤ−Ｒ、ＬＥＤ−Ｇ、ＬＥＤ−Ｂを出力して、赤色ＬＥＤ１８Ｒ、緑色ＬＥＤ１８Ｇ、青色ＬＥＤ１８Ｂを制御する。
すなわち、図４に示されるように、制御回路１２は、Ｒフィールドの走査期間の途中におけるタイミングｔr1からＧフィールドの走査期間の終了タイミングｔgeまでにわたって制御信号ＬＥＤ−ＲをＨレベルとし、Ｇフィールドの走査期間の途中におけるタイミングｔg1からＢフィールドの走査期間の終了タイミングｔbeまでにわたって制御信号ＬＥＤ−ＧをＨレベルとし、Ｂフィールドの走査期間の途中におけるタイミングｔb1から次のフレームにおけるＲフィールドの走査期間の終了タイミングｔreまでにわたって制御信号ＬＥＤ−ＢをＨレベルとする。
【００１７】
このような制御信号ＬＥＤ−Ｒ、ＬＥＤ−Ｇ、ＬＥＤ−Ｂによって、タイミングｔr1からタイミングｔreまでの期間では、赤色ＬＥＤ１８Ｒとともに青色ＬＥＤ１８Ｂが発光するので、表示パネル１００には、赤と青との合成色であるＭ（マゼンタ）色の光が照射される。
また、タイミングｔreからタイミングｔg1までの、Ｒの帰線期間を含む期間では、赤色ＬＥＤ１８Ｒだけが発光するので、表示パネル１００への照射光はＲ（赤）色となり、タイミングｔg1からタイミングｔgeまでの期間では、赤色ＬＥＤ１８Ｒとともに緑色ＬＥＤ１８Ｇが発光するので、表示パネル１００には、赤と緑との合成色であるＹ（イエロー）色の光が照射される。
一方、タイミングｔgeからタイミングｔb1までの、Ｇの帰線期間を含む期間では、緑色ＬＥＤ１８Ｇだけが発光するので、表示パネル１００への照射光はＧ（緑）色となり、タイミングｔb1からタイミングｔbeまでの期間では、緑色ＬＥＤ１８Ｇとともに青色ＬＥＤ１８Ｂが発光するので、表示パネル１００には、緑と青との合成色であるＣ（シアン）色の光が照射される。
なお、タイミングｔbeから次のフレームのタイミングｔr1までの、Ｂの帰線期間を含む期間では、青色ＬＥＤ１８Ｂだけが発光するので、表示パネル１００への照射光はＢ（青）色となる。
【００１８】
ところで、従来の色順次方式では、図８に示されるように、すべての液晶容量のそれぞれにＲ成分に応じた電圧が保持されるＲフィールドの帰線期間においてのみ、赤色ＬＥＤ１８Ｒだけが発光し、同様に、全ての液晶容量のそれぞれにおいてＧ、Ｂ成分に応じた電圧が保持されるＧ、Ｂフィールドの帰線期間においてのみ、緑色ＬＥＤ１８Ｇ、青色ＬＥＤ１８Ｂだけがそれぞれ発光する。このため、従来の色順次方式では、画面全体が暗くなるだけでなく、Ｒ、Ｇ、Ｂ色の原色画像が視認される期間が時間的にずれているので、色割れとして知覚されやすい。
これに対して、本実施形態では、Ｒ、Ｇ、Ｂフィールドの各帰線期間においてそれぞれＲ、Ｇ、Ｂ色の光を表示パネル１００に照射する点に加えて、Ｒフィールドの走査期間の途中であるタイミングｔr1までＢ色を、タイミングｔr1からＭ色をそれぞれ表示パネル１００に照射させ、同様に、Ｇフィールドの走査期間のタイミングｔg1までＲ色を、タイミングｔg1からＹ色を、Ｂフィールドの走査期間のタイミングｔb1までＧ色を、タイミングｔb1からＣ色を、それぞれ表示パネル１００に照射させている。
このため、本実施形態によれば、ほぼ１フレームの期間の全域にわたってなんらかの色の光を照射しているので、画面全体を明るくすることができるだけでなく、各色の画像が視認される期間の時間的なずれが小さいので、色割れを低減することが可能となる。
しかも、表示パネル１００に対する駆動方法は従来と同様であり、赤色ＬＥＤ１８Ｒ、緑色ＬＥＤ１８Ｇ、青色ＬＥＤ１８Ｂに対する制御だけが異なるので、構成の複雑化も回避される。
【００１９】
なお、本実施形態において、Ｒフィールドの走査期間の開始からタイミングｔr1までの期間では、表示パネル１００に対してＢ色の光を照射することになるが、当該期間では、前回のＢフィールドにおけるＢ成分に応じた電圧を依然として保持する画素が多く存在するので、Ｂ色の光が照射されることによる影響は少ないと考えられる。同様に、Ｒフィールドの走査期間のうち、タイミングｔr1からタイミングｔreまでの期間では、表示パネル１００に対してＭ色の光を照射することになるが、当該期間では、前回のＢフィールドにおけるＢ成分に応じた電圧を依然として保持する画素と、今回のＲフィールドにおけるＲ成分に応じた電圧に書き換えられた画素とが併存するので、Ｂ、Ｒの成分の画素に対し、両者の混合色であるＭ色の光が照射されることによる影響は少ない考えられる。
Ｇフィールドの走査期間においてＲ色からＹ色とする点、および、Ｂフィールドの走査期間においてＢ色からＣ色とする点においても同様であり、影響は少ない考えられる。
【００２０】
この実施形態では、表示パネル１００に対して、Ｒ（Ｇ、Ｂ）フィールドの走査期間の途中タイミングｔr1（ｔg1、ｔb1）からＲ（Ｇ、Ｂ）色の光の照射を開始したが、Ｒ（Ｇ、Ｂ）フィールドの走査期間では、すでに一部の画素がＲ（Ｇ、Ｂ）成分に応じた電圧に書き換えられているので、図５に示されるように、Ｒ（Ｇ、Ｂ）フィールドの走査期間の先頭からＲ（Ｇ、Ｂ）色の光の照射を開始して、Ｒ（Ｇ、Ｂ）フィールドの全域にわたって発光させても良い。
このように、Ｒ（Ｇ、Ｂ）フィールドの走査期間の先頭からＲ（Ｇ、Ｂ）色の光の照射を開始させると、色割れの低減とともに、なお一層、画面全体を明るくすることが可能となる。
【００２１】
また、赤色ＬＥＤ１８Ｒ、緑色ＬＥＤ１８Ｇ、青色ＬＥＤ１８Ｂを発光・消灯というように２値的に制御するのではなく、図６に示されるように、消灯から発光に状態変化させるに際し、消灯状態から徐々に明るくし、反対に、発光から消灯に状態変化させるに際し、点灯状態から徐々に暗くなるように制御しても良い。
このように明るさを徐々に変化させると、色割れの低減や画面全体の明るさ増加とともに、色の切り替わりが滑らかとなるので、知覚される画像に与える影響を小さくすることも可能となる。
【００２２】
なお、上述した実施形態では、表示パネル１００がＲ（赤）、Ｇ（緑）、Ｂ（緑）の３つの原色画像を形成する構成としたが、これらの色成分とは異なる成分の原色画像を形成して、色成分に応じた色の光の照射を制御する構成としても良い。ただし、上位装置から供給される画像データがＲＧＢの成分毎に供給される場合には、画像データの色成分を変換する構成が必要となる。
また、上述した実施形態では、赤色ＬＥＤ１８Ｒ、緑色ＬＥＤ１８Ｇ、青色ＬＥＤ１８Ｂを用いて表示パネル１００に対する照射光の色を変化させていたが、図４、図５、図６における合成照射光と同様な色に着色したカラーホィールを表示パネル１００の駆動に同期して回転させるとともに、例えば白色ＬＥＤによる白色照射光を透過させることによって表示パネル１００に対する照射光の色を変化させても良い。
【００２３】
上述した実施形態では、共通電極１０８と画素電極１１８との電圧実効値が小さい場合に白色表示を行うノーマリーホワイトモードとして説明したが、黒色表示を行うノーマリーブラックモードとしても良い。
また、実施形態では、液晶としてＴＮ型を用いたが、ＢＴＮ（Bi-stable Twisted Nematic）型・強誘電型などのメモリ性を有する双安定型や、高分子分散型、さらには、分子
の長軸方向と短軸方向とで可視光の吸収に異方性を有する染料（ゲスト）を一定の分子配列の液晶（ホスト）に溶解して、染料分子を液晶分子と平行に配列させたＧＨ（ゲストホスト）型などの液晶を用いても良い。
電圧無印加時には液晶分子が両基板に対して垂直方向に配列する一方、電圧印加時には液晶分子が両基板に対して水平方向に配列する、という垂直配向（ホメオトロピック配向）の構成としても良いし、電圧無印加時には液晶分子が両基板に対して水平方向に配列する一方、電圧印加時には液晶分子が両基板に対して垂直方向に配列する、という平行（水平）配向（ホモジニアス配向）の構成としても良い。このように、本発明では、液晶や配向方式として、種々のものに適用することが可能である。
さらに、透過型に限られず、反射型としても良いし、液晶容量に限られず、例えばデジタルミラー素子にも適用可能である。
【００２４】
次に、上述したように検査された電気光学装置１０を具体的な電子機器に用いた例について説明する。図７は、上記電気光学装置１０を表示部に適用した携帯電話の構成を示す斜視図である。
図において、携帯電話１２００は、複数の操作ボタン１２０２のほか、受話口１２０４、送話口１２０６とともに、電気光学装置１０を備えるものである。なお、電子機器としては、図６を参照して説明した他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルのような直視型装置や、縮小画像を形成して拡大投射するプロジェクタなどの投射型装置等などが挙げられる。
【図面の簡単な説明】
【００２５】
【図１】本発明の実施形態に係る電気光学装置の構成を示すブロック図である。
【図２】同電気光学装置における画素の構成を示す回路図である。
【図３】同電気光学装置における表示パネル等の構成を示す図である。
【図４】同電気光学装置における表示パネル等の構成を示す図である。
【図５】同電気光学装置の動作を説明するための図である。
【図６】同電気光学装置の応用例に係る動作の説明図である。
【図７】同電気光学装置の別の応用例に係る動作の説明図である。
【図８】従来の電気光学装置の動作を説明するための図である。
【符号の説明】
【００２６】
１０…電気光学装置、１２…制御回路、１４…Ｙドライバ、１６…Ｘドライバ、１８……光源、１１２…走査線、１１４…データ線、１００…画素、１０８…共通電極、１１８…画素電極、１０５…液晶、１２００…携帯電話
【図１】
2009020384.tif 000003
【図２】
2009020384.tif 000004
【図３】
2009020384.tif 000005
【図４】
2009020384.tif 000006
【図５】
2009020384.tif 000007
【図６】
2009020384.tif 000008
【図７】
2009020384.tif 000009
【図８】
2009020384.tif 000010